(57)【特許請求の範囲】
【請求項１】
機械的に動作可能なキー（１４）のアレイと、
前記アレイに隣接し、各領域が前記キー（１４）の夫々に対応し、通常オフになっている第１の電気スイッチを形成する複数の感圧領域（２４）を有する感圧層（２２）と、
前記キー（１４）が操作されると対応する前記感圧領域（２４）に圧力が加わり、対応する前記第１の電気スイッチがオンになるように配置されている前記感圧膜（２２）に隣接する硬質の背面プレ−ト（３２）と、を備え、
前記背面プレート（３２）には、１又は複数の所定位置に加圧手段（３６）が設けられ、
前記感圧層（２２）には、前記キー（１４）に対応した前記第１の電気スイッチを形成する前記複数の感圧領域（２４）の他に、前記背面プレート（３２）の前記所定位置に設けられた加圧手段（３６）に対応した位置に、前記背面プレート（３２）が正しく取り付けられている際には常時オンとなるが前記背面プレート（３２）が取り外された際にはオフとなる第２の電気スイッチを形成する追加感圧領域（２６）が設けられている、ことを特徴とする感圧キーパッド。
【発明の詳細な説明】
【０００１】
【発明の属する技術分野】
本発明は、キーパッドに関し、特にユーザが個人識別番号（ＰＩＮ）を入力する、自動金銭受け払い機（ＡＴＭ）のキーパッドのような、秘密情報を入力することができるキーパッドに関する。
【０００２】
【従来の技術、及び、発明が解決しようとする課題】
周知のキーパッドは、その底面に突起を有する機械的なキーのマトリックスからなり、この突起はキーが押されたとき、感圧膜に圧力を加える。前記感圧膜は、キーパッドにより背面プレ−トに対して保持されている。
【０００３】
キーパッドを悪用する場合に、悪用目的の記録手段に接続している第二の感圧膜を挿入するために、背面プレ−トを取り外す方法、または現在使用されている膜とＡＴＭの他の部品との間に走査／戻りラインを取り付ける方法は、よく知られている。どちらの場合も、入手したデータからＰＩＮを知ることができる。  固定プレ−トが悪用のために取り外される場合、それを検出するために、普通、ＡＴＭケース内に一つまたはそれ以上のマイクロスイッチが使用される。このマイクロスイッチは、背面プレ−トが取り外されると警告を発する。
【０００４】
マイクロスイッチを使用する方法の欠点は下記の通りである。
【０００５】
ａ）マイクロスイッチは比較的大きく、ＡＴＭに一つのマイクロスイッチを設置するスペースが限られている。
【０００６】
ｂ）機械的許容誤差に関して機械設計上の問題があり、スイッチの動作点に違いがある。
【０００７】
ｃ）マイクロスイッチは、普通、装置の外側から見ることができる位置に取り付けられているか、Ｘ線または他の非破壊的手段で容易に検出することができる。それ故、ＡＴＭを悪用しようとするものは、マイクロスイッチによる警報を作動しないようにすることもできるし、細工をすることもできる。
【０００８】
本発明の目的は、マイクロスイッチ警報を使用する方法の欠点を解決するキーパッド用警報を提供することである。
【０００９】
【課題を解決するための手段】
このため、本発明は、機械的に動作可能なキーのアレイと、前記アレイに隣接し、各領域が前記キーの夫々に対応し、通常オフになっている第１の電気スイッチを形成する複数の感圧領域を有する感圧層と、前記キーが操作されると対応する前記感圧領域に圧力が加わり、対応する前記第１の電気スイッチがオンになるように配置されている前記感圧膜に隣接する硬質の背面プレートと、を備え、前記背面プレートには、１又は複数の所定位置に加圧手段が設けられ、前記感圧層には、前記キーに対応した前記第１の電気スイッチを形成する前記複数の感圧領域の他に、前記背面プレートの前記所定位置に設けられた加圧手段に対応した位置に、前記背面プレートが正しく取り付けられている際には常時オンとなるが前記背面プレートが取り外された際にはオフとなる第２の電気スイッチを形成する追加感圧領域が設けられている、ことを特徴とする感圧キーパッドを提供するものである。
【００１０】
添付の図面を参照しながら以下に本発明を説明するが、これは単に例示としてのものに過ぎない。
【００１１】
【発明の実施の形態】
図１の場合、ＡＴＭは、キーパッド入力２、ディスプレイ４、カード入力スロット６、および通貨払出しスロット８を備えている。このＡＴＭを使用する際には、顧客は入力スロット６にカードを挿入し、キー２を押してＰＩＮを入力する。ＡＴＭは、自動的に、カードおよびＰＩＮの身元確認を行うために、ＡＴＭを運用している金融機関の中央の身元確認センタに連絡する。身元が確認された場合には、顧客はスロット８を通して銀行券の払出しを要求することができる。ＡＴＭは、プロセッサ（図示せず）により制御される。
【００１２】
すでに説明したように、ＡＴＭを悪用する際に、それを悪用しようとするものがデータを入手し、キー２で入力されたＰＩＮを解読する方法は周知である。
【００１３】
図２について説明すると、本発明のＡＴＭ用のキーパッドは、機械的に操作することができるキーの２ｘ８のマトリックスを支持しているモールディング１２の形をしたキー層１０を含む。モールディング１２の下には、丸で示す、キー１４のマトリックスに対応する感圧領域２４の２ｘ８のマトリックス、および四角で示す四つの追加感圧流域２６をその上に持つ、感圧膜２２を含む感圧膜の層２０が設置されている。膜２２の下には、層２２に隣接するその表面上に、四つの追加感圧領域２６に対応するように位置している四つの突起３６を持つ背面プレ−ト３２を含む支持層３０が設置されている。
【００１４】
他の例（図示せず）の場合には、従来の背面プレ−トは、感圧領域２６に対応する位置に多数の開口部を備え、また四つの突起３６を持つ追加背面プレ−トを備えている。
【００１５】
層１０、２０、３０は、各層のそれぞれの隅で、開口部１８、２８、３８を通るネジまたはボルトにより、一緒に固定することができる。
【００１６】
通常の動作の場合、キー１４の中の一つを押すと、その下面上にある突起（図示せず）が膜領域２２の対応する感圧領域２４に圧力を加え、この感圧領域を背面プレ−ト３２に押しつける。この圧力により、そのキーに対応する通常オフになっているスイッチが電気的にオンになり、監視回路がそのキーを識別し、ＡＴＭのプロセッサに適当な信号を送る。
【００１７】
モールディング１２、膜２２および背面プレ−ト３２が一緒に固定されると、突起３６は追加感圧領域２６に圧力を加え、これら感圧領域をモールディング２２の下面に押しつける。四つの対応するスイッチは、通常電気的にオンになっているスイッチである。背面プレ−ト３２を取り外すと、圧力が取り除かれ、スイッチがオフになり、警報信号を周知の技術により送ることができる。
【００１８】
感圧層に内蔵されている上記スイッチの一つの利点は、その設置位置をＡＴＭの外部から容易に知ることができないという点である。
【００１９】
追加の通常はオンになっているスイッチは、どのキーが押されたのかを識別するために、ＡＴＭのキーパッドと一緒に従来使用されてきた走査マトリックスに容易に内蔵させることができる。このことを、図２の膜２２の上面および下面を示す図３および図４を参照しながら説明する。
【００２０】
図３は、Ｓ（０）−Ｓ（Ｆ）の参照番号で示す、スイッチの２ｘ８マトリックスである。各スイッチは、オンにしたときのスイッチの動きを収容するための、Ｓ（６）、Ｓ’（６）またはＳ（Ａ）、Ｓ’（Ａ）のような二つの接点を持つ。各スイッチは丸で表示されている。マトリックスの一本の線内のスイッチは、Ｓ（０）からＳ（７）、Ｓ’（７）からＳ’（０）へのように、Ｕ型の導体トラック４０により直列に接続していて、マトリックスの他の線内のスイッチであるＳ（Ｆ）からＳ’（Ｆ）は、Ｕ型の導体トラック４２により直列に接続している。トラック４０の一方の端部は、電流源４４の一方の端子に接続していて、トラック４２の一方の端部は、電流源４４の他方の端子に接続している。
【００２１】
図２の四つの追加スイッチ２６は、図３に四つの接点Ａ（１）−Ａ（４）で示されている。
【００２２】
図４について説明すると、膜の層２２の下面上の接続は、上面上の感圧スイッチＳの位置に対応する丸Ｗで示した接点に接続している導体４６のアレイの形で図示されている。接続パターンは、２ｘ８スイッチ・アレイ用の従来のパターンである。導体４６の両端部は、膜の層の一方の縁部の２９のコネクタ・ピンＰ（１）−Ｐ（２９）に接続している。図４は、ピンＰの中の三つと監視回路４８との間の接続の略図である。
【００２３】
動作中、キー２のようなキーパッドの一つのキーを押すと、スイッチＳ２の領域内の膜層２２に加えられた圧力により、そのスイッチがオンになり、電流が膜層２２を通して、トラック４０に沿って、電流源４４から接点Ｗ（２）に流れ、トラック４６中の対応するトラックに沿ってピンＰ５に流れる。監視回路４８は、キー２が押されたことを周知の技術により認識し、接続５０を通して、ＡＴＭのプロセッサに適当な信号を送る。いくつかのキーを押すことにより、従来の技術により、ＰＩＮ入力、識別および身元確認が行われる。
【００２４】
図３の四つの追加スイッチＡ１−Ａ４は、図４の丸Ｂ１−Ｂ４に対応する。丸Ｂ１−Ｂ４を接続しているトラックは、四つのスイッチがコネクタ・ピンＰ１およびＰ２間で、直列に接続するように配列されている。すでに説明したように、スイッチは通常オンになっているタイプのもので、監視回路４８は電圧を供給し、電流をすべてのスイッチを通して流す。
【００２５】
ＡＴＭを悪用しようとして背面プレ−ト３２（図２）を取り外すと、すべての追加スイッチがオフになり、電流の流れが止まり、監視回路４８がＡＴＭに適当な信号を送り、ＡＴＭは現金の破損またはマークづけ、および秘密のデータの消去のような追加保安機能（図示せず）に警報信号を送る。
【００２６】
追加スイッチは、例えば、隅のような、膜の層２２の他の場所に設けることもできる。もっと少ないスイッチ、例えば、二個のスイッチを使用することもできる。追加のスイッチの数がいくつであろうとも、それらのスイッチを、必要に応じて、電流源に直列または並列に接続することができる。
【００２７】
データ入力を入手するためにキーパッドがいじられる恐れがある場合には、ＡＴＭ以外のシステムに、本発明のキーパッドを使用することができる。
【図面の簡単な説明】
【図１】本発明のキーパッドを内蔵する自動金銭受け払い機（ＡＴＭ）である。
【図２】本発明のキーパッドの簡単な分解図である。
【図３】図２の膜の層の上面および下面である。
【図４】図２の膜の層の上面および下面である。
【図１】
0004028626.tif 000002
【図２】
0004028626.tif 000003
【図３】
0004028626.tif 000004
【図４】
0004028626.tif 000005